(57)【要約】【課題】使用者の状態に応じて複数の動作のいずれかを実行可能とした自動装置を提供する。【解決手段】放射した送信波の被検知体による反射波及び透過波の少なくともいずれかを受信波として受信するアンテナと、前記送信波と前記受信波とを合成するミキサ部と、前記ミキサ部から出力された検知信号の周波数を検出する周波数検出部と、前記周波数検出部による検出の結果に基づいて制御信号を出力する判定部と、前記制御信号により制御される被制御部と、を備え、前記判定部は、前記検知信号の周波数が降下すると前記被制御部に対して第１動作を実行させる制御信号を出力し、その後、前記検知信号の周波数が上昇または上昇の後に降下すると前記被制御部に対して第２動作を実行させる制御信号を出力することを特徴とする自動装置が提供される。【選択図】図１
2009063347.tif 000002
【特許請求の範囲】
【請求項１】
放射した送信波の被検知体による反射波及び透過波の少なくともいずれかを受信波として受信するアンテナと、
前記送信波と前記受信波とに基づいて検知信号を生成するミキサ部と、
前記ミキサ部から出力された前記検知信号の周波数を検出する周波数検出部と、
前記周波数検出部による検出の結果に基づいて制御信号を出力する判定部と、
前記制御信号により制御される被制御部と、
を備え、
前記判定部は、
前記検知信号の周波数が降下すると前記被制御部に対して第１動作を実行させる制御信号を出力し、その後、前記検知信号の周波数が上昇し、または上昇の後に降下し、または略一定値を維持した後に降下すると、前記被制御部に対して第２動作を実行させる制御信号を出力することを特徴とする自動装置。
【請求項２】
前記判定部は、前記検知信号の周波数が第１の値よりも高い状態から、前記第１の値よりも低い状態まで降下したら、前記被制御部に対して前記第１動作を実行させる制御信号を出力することを特徴とする請求項１記載の自動装置。
【請求項３】
前記判定部は、前記検知信号の周波数が第１の値よりも高い状態から、前記第１の値よりも低い第２の値よりも低い状態まで降下したら、前記被制御部に対して前記第１動作を実行させる制御信号を出力することを特徴とする請求項１記載の自動装置。
【請求項４】
前記判定部は、前記検知信号の周波数が第１の値よりも高い状態から、前記第１の値よりも低い状態にまで降下した後に、前記第１の値よりも高い状態に上昇したら、前記被制御部に対して前記第２動作を実行させる制御信号を出力することを特徴とする請求項１または２に記載の自動装置。
【請求項５】
前記判定部は、前記検知信号の周波数が第１の値よりも高い状態から、前記第１の値よりも低い第２の値よりも低い状態まで降下した後に、前記第２の値よりも大きい第３の値よりも高い状態に上昇したら、前記第２動作を実行させる制御信号を出力することを特徴とする請求項１または３に記載の自動装置。
【請求項６】
前記判定部は、前記検知信号の周波数が第１の値よりも高い状態から、前記第１の値よりも低い第２の値よりも低い状態まで降下した後に、前記第２の値よりも大きい第３の値よりも高い状態に上昇し、その後前記第３の値よりも低い状態まで降下したら、前記第２動作を実行させる制御信号を出力することを特徴とする請求項１または３に記載の自動装置。
【請求項７】
前記検知信号の振幅を検出する振幅検出部をさらに備え、
前記判定部は、前記検知信号の周波数が降下するとともに前記検知信号の振幅が大きくなると前記被制御部に対して第１動作を実行させる制御信号を出力することを特徴とする請求項１〜６のいずれか１つに記載の自動装置。
【請求項８】
前記検知信号の振幅を検出する振幅検出部をさらに備え、
前記判定部は、前記検知信号の周波数が上昇または上昇の後に降下するとともに前記検知信号の振幅が大きくなると前記被制御部に対して第２動作を実行させる制御信号を出力することを特徴とする請求項１〜６のいずれか１つに記載の自動装置。
【請求項９】
前記検知信号の振幅を検出する振幅検出部をさらに備え、
前記判定部は、第２動作を実行させる制御信号を出力した後に、前記検知信号の周波数が上昇または上昇の後に降下するとともに前記検知信号の振幅が小さくなると前記被制御部に対して第３動作を実行させる制御信号を出力することを特徴とする請求項１〜６のいずれか１つに記載の自動装置。
【請求項１０】
前記判定部は、第３動作を実行させる制御信号を出力した後に、前記検知信号の周波数が上昇するとともに前記検知信号の振幅が小さくなると前記被制御部に対して第４動作を実行させる制御信号を出力することを特徴とする請求項９記載の自動装置。
【請求項１１】
前記第２動作は、吐水であることを特徴とする請求項１〜１０のいずれか１つに記載の自動装置。
【請求項１２】
前記第２動作は、温風の吹き出しであることを特徴とする請求項１〜１０のいずれか１つに記載の自動装置。
【請求項１３】
前記判定部は、前記第１動作を実行させる制御信号を出力した後、所定時間内に前記第２動作を実行させる制御信号を出力しない場合には、前記第１動作を実行させる制御信号を出力するための前記周波数の降下の監視を開始することを特徴とする請求項１〜１２のいずれか１つに記載の自動装置。
【発明の詳細な説明】
【技術分野】
【０００１】
本発明は、自動装置に関し、より具体的には人体を検知して所定の動作を実行する自動装置に関する。
【背景技術】
【０００２】
人体を検知して自動的に吐水などを実行する水栓やトイレなどの自動装置は、衛生的であるばかりでなく、ユニバーサル・デザインの観点からも優れ、節水効果なども得られるため、公共的な施設ばかりでなく一般家庭にも普及が進んでいる。  
これら自動装置には、使用者を検知するためのセンサが必要とされる。マイクロ波を便器正面へ発射し、対象物により反射されたマイクロ波を受信して、そのドップラー周波数信号のパワースペクトルを求め、そのピーク値と所定の閾値とを比較することにより、人体を検知する人体検知装置が開示されている（特許文献１）。
【特許文献１】特開平９−８０１５０号公報
【発明の開示】
【発明が解決しようとする課題】
【０００３】
自動装置が複数の動作を実行可能である場合、使用者の状態に応じてこれら動作のいずれかを選択して自動的に実行できると便利である。例えば、水栓に照明機能を付加した場合、使用者の接近に応じて照明を点灯させることにより、水栓への誘導効果が得られる。そして、照明に導かれた使用者が手を差し出して水栓から自動的に吐水されると、使用者はごく自然な感覚に自動水栓を使用することができ、使用感に優れる。  
本発明は、かかる観点からなされたものであり、使用者の状態に応じて複数の動作のいずれかを実行可能とした自動装置を提供する。
【課題を解決するための手段】
【０００４】
本発明の一態様によれば、放射した送信波の被検知体による反射波及び透過波の少なくともいずれかを受信波として受信するアンテナと、前記送信波と前記受信波とを合成するミキサ部と、前記ミキサ部から出力された検知信号の周波数を検出する周波数検出部と、前記周波数検出部による検出の結果に基づいて制御信号を出力する判定部と、前記制御信号により制御される被制御部と、を備え、前記判定部は、前記検知信号の周波数が降下すると前記被制御部に対して第１動作を実行させる制御信号を出力し、その後、前記検知信号の周波数が上昇または上昇の後に降下すると前記被制御部に対して第２動作を実行させる制御信号を出力することを特徴とする自動装置が提供される。
【発明の効果】
【０００５】
本発明によれば、使用者の状態に応じて複数の動作のいずれかを実行可能とした自動装置が提供される。
【発明を実施するための最良の形態】
【０００６】
以下、図面を参照しつつ、本発明の実施の形態について説明する。  
図１及び図２は、本発明の実施の形態にかかる自動装置の２つの具体例のブロック図である。
【０００７】
自動装置は、センサ部１００と、被制御部３０と、を有する。センサ部１００は、検知部１００Ａと、処理部１００Ｂと、を有する。検知部１００Ａには、アンテナ１０、送信部１２、受信部１４、ミキサ部１６が設けられている。送信部１２に接続されたアンテナ１０からは、高周波、マイクロ波あるはミリ波などの１０ｋＨｚ〜１００ＧＨｚの周波数帯の電波が放射される。具体的には、アンテナ１０からは、例えば１０．５２５ＧＨｚの周波数を有する送信波Ｔ１が放射される。人体などの被検知体からの反射波または透過波Ｔ２は、アンテナ１０を経由して受信部１４に入力される。ここで、アンテナは、図１に表したように送信側と受信側とを共通としてもよく、または、図２に表したように、送信部１２にはアンテナ１０ａを接続し、受信部１４にはアンテナ１０ｂを接続してもよい。
送信波の一部と受信波とは、ミキサ部１６にそれぞれ入力され、ドップラー効果が反映された出力信号が出力される。すなわち、人体などの被検知体が移動すると、ドップラー効果によって反射波の波長がシフトする。ドップラー周波数ΔＦ（Ｈｚ）は、下記の式（１）により表すことができる。
ΔＦ＝Ｆｓ−Ｆｂ＝２×Ｆｓ×ｖ／ｃ          式（１）
但し、Ｆｓ：送信周波数（Ｈｚ）
Ｆｂ：反射周波数（Ｈｚ）
ｖ：物体の移動速度（ｍ／ｓ）
ｃ：光速（＝３００×１０６ｍ／ｓ）
検知部１００Ａを移動体に向けると、式（１）で表されるように、その速度ｖに比例した周波数ΔＦを含む出力信号を得ることができる。出力信号は周波数スペクトラムを有し、スペクトラムのピークに対応するピーク周波数と移動体の速度ｖとの間には相関関係がある。従って、ドップラー周波数ΔＦを測定することにより速度ｖを求めることができる。なお、日本においては、人体を検知する目的には１０．５０〜１０．５５ＧＨｚまたは２４．０５〜２４．２５ＧＨｚの周波数が使用できる。
【０００８】
ミキサ部１６から出力された検知信号は、処理部１００Ｂに出力される。処理部１００Ｂには、フィルタ２０、周波数検出部２２、判定部２４が設けられている。ミキサ部１６から出力された検知信号は、まずフィルタ２０において例えば高周波数成分が取り除かれる。この際のフィルタリング周波数は、例えば１００Ｈｚとすることができる。フィルタ２０から出力された検知信号の周波数が周波数検出部２２において検出される。そして、判定部２４は、周波数検出部２２によって検出された周波数の変化に基づいて、被制御部３０に対して制御信号を適宜出力する。
【０００９】
被制御部３０は、後に詳述するように、例えば、自動水栓の開閉弁や、手指乾燥機の温風生成部や、衛生洗浄装置の便座ヒータや、便蓋開閉装置や、照明などである。つまり、本実施形態の自動装置は、検知部１００Ａと処理部１００Ｂによる検知の結果に基づいて、被制御部３０を自動的に制御する。
【００１０】
図３は、被検知体の移動速度による検知信号の周波数の変化を模式的に表すグラフ図である。ここでは、横軸は時間である。  
ここでは便宜的に周波数の変化を検知信号のピーク間の時間により表した。被検知体の速度が低い場合には、検知信号のピーク間の時間が長くなり、検知信号の周波数は低くなる。一方、被検知体の速度が大きい場合には、検知信号のピーク間の時間が短くなり、検知信号の周波数は高くなる。このように、検知信号の周波数の時間変化を監視することにより、被検知体の速度の変化を検出することができる。また、後に詳述するように、検知信号の振幅は、被検知体の大きさや被検知体までの距離に応じて変化する。すなわち、被検知体のサイズが大きいと検知信号の振幅は大きく、また被検知体までの距離が小さいほど検知信号の振幅は大きくなる。
【００１１】
図４は、自動装置に接近する使用者の速度と検知信号の周波数の変化との関係を表すグラフ図である。  
使用者が目標とする自動装置（例えば、自動水栓）に接近する場合、図４（ａ）に表したように、通常は、目標物に近づくにつれて、衝突を避けるために減速する。この時、自動装置の検知部１００Ａにおける検知信号の振幅は図４（ｂ）に表したように徐々に大きくなり、同時にその周波数も図４（ｃ）に表したように徐々に降下する。本実施形態においては、例えばこのような周波数の降下を検出することにより、その自動装置を使用する意思を有する被検知体の接近を高い確度で検知することができる。
【００１２】
例えば、自動水栓や温風を吹き出して手指を乾燥させる手指乾燥機などの場合、これを使用する使用者は、まずこれらの自動装置に接近し、しかる後に手を差し出す。この時、使用者の身体が接近する際には、図４に関して前述したようにその速度は徐々に降下する。そして、使用者が目標物に到達すると手を差し出す。例えば、自動水栓の場合には、スパウトの下に向けて手を差し出すが、この時の手の移動速度も、最初は加速し、その後減速してスパウトの下に手が到達する。従って、使用者の体が接近する際の減速動作に続いて、手の加速→減速の動作が実行される。
【００１３】
図５は、この時の検知信号に含まれる周波数の時間変化を説明するための模式図である。  
前述したように、使用者が自動水栓などの目標物に接近する場合には、まず目標物に近づくにつれて身体が減速する。この時、自動装置における検知信号の振幅は、図５（ｂ）に表したように徐々に大きくなり、同時にその周波数は図５（ｃ）に表したように身体の減速に対応して降下する。  
そして、これに続いて使用者は手を差し出す。この時の手の動きは、一般的に、最初は加速し、その後に減速する。従って、検知信号の周波数にも、手の加速→減速の動作に対応したピークが表れる。  
本実施形態においては、検知信号の周波数の変化を観察し、周波数が所定の閾値を上回ったり、下回ることにより、被検知体の加速や減速を検出できる。あるいは、図５に例示したような周波数の降下とそれに続くピークＰの出現を検出することにより、被検知体の接近や、自動装置の本来的な駆動をさせるために使用者が実行する動作を高い確度で検知することができる。
【００１４】
なお、ピークＰの有無を判定するに際しては、その加速側Ｐａの周波数の変化（すなわち、周波数の上昇）に基づいて判定してもよく、あるいはその減速側Ｐｂの周波数の変化（すなわち、周波数の降下）に基づいて判定してもよい。あるいは、加速から減速に転ずる周波数の変化（すなわち、変化の方向が反転すること）に基づいて判定してもよい。
【００１５】
図６及び図７は、本発明者が自動水栓について実施した実験の結果を表す模式図である。すなわち、これらの図において、（ａ）は自動装置に設けたセンサの検知信号を表し、（ｂ）はその周波数の時間変化を表す。
【００１６】
図６は、自動水栓のセンサの検知範囲内において静止している状態から被検知体が自動水栓に向けて接近を開始し、水栓に到達したら停止して手を差し出す場合を表す。  
一方、図７は、自動水栓のセンサの検知範囲よりも外側から被検知体が自動水栓に向けて接近し、自動水栓に到達したら停止して手を差し出す場合を表す。
【００１７】
図６に表した具体例の場合、検知信号の周波数の変化をみると、図６（ｂ）に表したように、まず、被検知体の体の移動速度の変化（加速→減速）に応じて緩やかなピークが表れ、それに続いて手の加速→減速のピークが表れる。
【００１８】
図７に表した具体例においても、検知信号の周波数の変化をみると、図７（ｂ）に表したように、まず、被検知体の体の移動速度の変化（減速）に応じて周波数の降下が表れ、それに続いて手の加速→減速のピークが表れる。
【００１９】
このように、被検知体の身体の接近に対応する周波数の変化と、手を差し出す時の加速→減速の動作に対応する周波数の変化と、を明瞭に分離して検出することが可能であり、自動水栓や手指乾燥機に対する使用者の接近と、手などを差し出す動作と、をそれぞれ検知することが可能である。
【００２０】
また、図６及び図７から、人間が歩く速度や手を差し出す速度は検知信号において概ね９０Ｈｚ以下であることが分かる。従って、本実施形態におけるフィルタ２０は、概ね１００Ｈｚ以下の検知信号を抽出するものであればよい。
【００２１】
図８は、図１及び図２に表した自動装置において実行される処理を例示するフローチャートである。  
まず、検知信号を検出し（ステップＳ１０）、その周波数を周波数検出部２２において検出する。そして、検知信号の周波数が図５（ｃ）、図６、図７に例示したように、使用者の体の減速などに対応して所定の降下の傾向を示したら（ステップＳ１２：ｙｅｓ）、判定部２４は、被制御部３０に制御信号を出力して、第１動作を実行させる（ステップＳ１４）。次に判定部２４は、所定時間内に、手の加速→減速に対応したピークが検知信号の周波数に表れるか否かを調べる（ステップＳ１６）。そして、ピークが現れたと判定すると（ステップＳ１６：ｙｅｓ）、被制御部３０に制御信号を出力して第２動作を実行させる（ステップＳ１８）。
【００２２】
例えば、図５（ｃ）、図６、図７に例示したように、検知信号の周波数がｆ１よりも高い状態からｆ２よりも低い状態に降下したら被検知体が接近していると判定し、第１動作を実行する。そして、次に、検知信号の周波数が所定の閾値ｆ３を越えるか否かを監視する。そして、検知信号の周波数が所定時間内にこの閾値ｆ３を越えたら、手を差し出す動作などに対応したピークが表れたと判断し（ステップＳ１６：ｙｅｓ）、第２動作を実行する。または、検知信号の周波数が閾値ｆ３を越えた後にｆ３よりも低い状態に再び降下したら、手を差し出す動作などに対応したピークが表れたと判断してもよい（ステップＳ１６：ｙｅｓ）。
【００２３】
一方、所定時間内にｆ３を越えなかった場合、すなわち周波数にピークが表れなかった場合（ステップＳ１６：ｎｏ）は、使用者は手を差し出さなかった、すなわち接近したが使用の意思がないものと判断してステップＳ１０に戻り、検知信号の監視を続ける。すなわち、動作シーケンスをキャンセルして初期状態に戻る。なお、ステップＳ１６において、ピークが表れたか否かを調べる代わりに、周波数が所定の閾値を超えたか否かを基準に判定してもよい。
なお、ステップＳ１６において、検知信号の周波数にピークが表れる代わりに、図９に例示した如く、周波数が略一定値を維持した後に降下した時に、第２動作を実行するようにしてもよい。つまり、図５〜図７に関した具体例において、体が接近し減速した後に手が接近し減速する際に、手を差し出す速度やタイミングによっては、手が接近する際の加速が観測されないこともあり得る。このような場合、体の減速の後に、検知信号の周波数が略一定値を維持し、その後、手の減速に対応して検知信号の周波数が降下する。つまり、（減速）→（等速）→（減速）という速度の変化が観測される場合もあり得る。このような場合には、最初の減速に応じて第１動作を実行し、その後、等速の後に観測される減速に応じて第２動作を実行するようにすればよい。
【００２４】
以上説明したように、本具体例においては、使用者の体の接近などに対応した周波数の降下を検知すると、第１動作を実行し、それに続く周波数のピークを検知すると、第２動作を実行する。  
以上説明した周波数の降下（ステップＳ１２）、第１動作（ステップＳ１４）、周波数のピーク（ステップＳ１６）、第２動作（ステップＳ１８）について、具体例を挙げると以下の如くである。  
まず、自動装置が自動水栓の場合について説明すると、周波数の降下（ステップＳ１２）としては、典型的には、使用者の自動水栓への接近を挙げることができる。  
そして、第１動作（ステップＳ１４）としては、例えばスパウトやその近傍に設けた照明を点灯することにより、ボウルを照らして使いやすくしたり、光や音などを発してスパウトや吐水口の位置を使用者に知らせることができる。または、第１動作として、スパウトから所定量の水を吐水して、使用前のボウルを予め洗浄してもよい。
【００２５】
また例えば、スパウトや吐水口が可動式の場合に、第１動作としてこれらスパウトや吐水口を動かしてもよい。例えば、スパウトがボウルの一部などに収納可能とされ、使用時にポップアップするような水栓の場合に、第１動作として、スパウトをポップアップしてもよい。このように、第１動作としては、予備的な動作をすることができる。
【００２６】
次に、周波数のピーク（ステップＳ１６）は、水栓に接近した使用者が、手やコップなどをスパウトに向けて差し出す動作に対応する。そして、第２動作（ステップＳ１８）としては、スパウトや吐水口から吐水する動作を挙げることができる。
【００２７】
次に、自動装置が手指乾燥機の場合について説明する。ここで、手指乾燥機は、トイレや洗面台の近傍などに設置され、手洗いなどの後に使用者の手や指などを温風により乾燥させる装置である。  
この場合も、周波数の降下（ステップＳ１２）としては、典型的には、使用者の手指乾燥機への接近を挙げることができる。  
そして、第１動作（ステップＳ１４）としては、例えば温風ヒータを予備的に加熱したり、殺菌灯に予備的に通電するなどの予備的な動作をすることができる。
【００２８】
次に、周波数のピーク（ステップＳ１６）は、手指乾燥機に接近した使用者が、手を温風吹出口に向けて差し出す動作に対応する。そして、第２動作（ステップＳ１８）としては、温風を吹き出したり、殺菌灯を点灯する動作を挙げることができる。
【００２９】
次に、自動装置が衛生洗浄装置などが付設されたトイレの場合について説明する。ここで、衛生洗浄装置は、腰掛便器に付設され、便座に座った使用者の「おしり」などに水を噴射して洗浄可能としたものである。  
この場合には、周波数の降下（ステップＳ１２）としては、典型的には、使用者がトイレに接近したことを挙げることができる。後に詳述するように、マイクロ波を用いたセンサの場合、例えば、トイレ室の内側からドア越しに外側の人体を検知することが可能である。つまり、従来の赤外線測距式のセンサや焦電センサの場合には、使用者がトイレ室に入室しないと検知できなかったが、本実施形態においては、トイレ室のドアの外側で使用者が接近したことを検知できるので、より早いタイミングで各種の動作を開始できる点で大きなメリットがある。  
そして、第１動作（ステップＳ１４）としては、例えば、便蓋を開いたり、便座に内蔵されたヒータを加熱して便座の暖房を開始したり、照明を点灯したり、温風をトイレ室に吹き出してトイレ室の暖房を開始したり、便器に洗浄水を流してボウルを予め濡らした状態にしたり、音楽や効果音を鳴らしたりすることを挙げることができる。ここで、便座やトイレ室の暖房は、予め低出力で暖房しておき、第１動作として高出力での暖房を開始するようにしてもよい。例えば、便座を急速暖房する場合、暖房開始のタイミングが１秒あるいはそれ以下の時間でも早ければ、便座に座る使用者の体感を改善できる。従って、従来のようにトイレに入室した使用者を検知して急速暖房を開始する場合と比べて、本実施形態によれば、ドア越しに使用者の接近を検知することにより、より早いタイミングで急速暖房を開始でき、より確実な暖房効果が得られる。
【００３０】
次に、周波数のピーク（ステップＳ１６）は、例えば使用者が便座に座る動作に対応する。そして、第２動作（ステップＳ１８）としては、例えば、脱臭機能を動作させたり、便器に洗浄水を流してボウルを予め濡らした状態にしたり、衛生洗浄装置の吐水ノズルへの給水流路に残留した冷水を排出して直ちに温水を噴射可能な状態としたり、衛生洗浄装置の吐水ノズルの表面を洗浄したり、音楽や効果音を鳴らしたり、衛生洗浄装置のリモコンなどの操作部の所定のスイッチを照明したり表示部に特定のメッセージを表示して使用者にガイドしたりする動作を挙げることができる。
【００３１】
次に、自動装置が洗面所や浴室などに設置された場合について説明する。  
この場合には、周波数の降下（ステップＳ１２）としては、典型的には、洗面所や浴室などへの使用者の接近を挙げることができる。そして、この場合にも、前述したようにドア越しに使用者の接近を検知できるので、従来よりもより早いタイミングで検知することが可能となる。  
そして、第１動作（ステップＳ１４）としては、例えば洗面所や浴室の照明を点灯させたり、音楽や効果音などを鳴らしたり、洗面所や浴室の暖房や空調を開始したり、洗面ボウルに水を流してボウルを予め洗浄することができる。
【００３２】
次に、周波数のピーク（ステップＳ１６）は、例えば、洗面台や浴槽などに使用者が接近する動作に対応する。そして、第２動作（ステップＳ１８）としては、洗面台の照明を点灯させたり、電気温水器を適温に制御したり、浴室内の照明を調節したり、洗面所や浴室内の空調の方向を調節したり、ブローバスやミストサウナの運転を開始したり、音楽や効果音を鳴らしたりすることができる。
【００３３】
以上説明したように、本実施形態によれば、使用者の複数の状態をそれぞれ検知し、それぞれの状態に応じて、最適な動作をさせることができる。またさらに、マイクロ波センサを用いることにより、ドア越しに使用者の接近などを検知することもでき、従来は不可能であった早いタイミングで各種の動作を開始させることも可能となる。
【００３４】
図１０及び図１１は、本実施形態のもうひとつの具体例にかかる自動装置のブロック図である。これらの図については、既出の図に関して前述したものと同様の要素には同一の符号を付して詳細な説明は省略する。  
本変型例においては、振幅検出部２８が設けられている。振幅検出部２８は、フィルタ２０により抽出された検知信号の振幅を調べる。そして、判定部２４は、周波数検出部２２による検出結果とともに、振幅検出部２８の検出結果も参酌して判定を実行する。すなわち、図４や図５などに例示したように、被検知体が自動装置に接近すると、検知信号の周波数のピークまたは降下があらわれ、同時に、検知信号の振幅は大きくなる。  
これとは逆に、使用者が自動装置から遠ざかると、検知信号の振幅は小さくなる。
【００３５】
図１２は、自動水栓を使用した使用者が自動水栓から離れるまでの検知信号を例示する模式図である。  
使用者が自動水栓を使用した後は、差し出していた手を引っ込めるとともに、自動水栓から離れる動作を開始する。この際にも、手を引っ込める動作に対応して、図１２（ｃ）に表したように、検知信号の周波数に加速→減速の変化があらわれる。また、使用者の身体が自動水栓から遠ざかる動作に対応して、検知信号の周波数に加速する変化があらわれる。
【００３６】
そして、これらいずれの場合においても、被検知体が自動水栓から遠ざかる動作であることに対応して、図１２（ｂ）に表したように、検知信号の振幅が時間とともに減少する。これは、図５（ｂ）、図６（ａ）、図７（ａ）に表したように、被検知体が自動水栓に近づく動作においては検知信号の振幅が時間とともに増加することとは対照的である。
【００３７】
このように、検知信号の周波数の変化に加えて、振幅の変化を考慮することにより、被検知体の動作が接近に対応するものであるのか、離遠に対応するものであるのか、を判定することができる。本具体例においては、振幅検出部２８（図１０、図１１参照）により検知信号の振幅の検出が可能となる。
【００３８】
図１３は、使用者の離遠動作も検知可能とした自動装置において実行される処理を例示するフローチャートである。  
検知信号を検出し（ステップＳ１０）、その周波数を周波数検出部２２において検出するとともに、その振幅を振幅検出部２８（図１０、図１１参照）において検出する。そして、図５（ｂ）及び（ｃ）などに例示したように、周波数が降下し、振幅が増加する傾向が認められたら（ステップＳ２０：ｙｅｓ）、使用者が接近していると判断して、第１動作を実行する（ステップＳ２２）。次に判定部２４は、所定時間内に、周波数の変化にピークが表れ、同時に振幅が増加するか否かを調べる（ステップＳ２４）。そして、ピークが現れたと判定すると（ステップＳ２４：ｙｅｓ）、使用者がさらに接近していると判断して、第２動作を実行する（ステップＳ２６）。
【００３９】
以上説明したステップは、図８及び図９に関して前述したステップＳ１０〜ステップＳ１８と同様であり、例えば、自動水栓に対して使用者が接近し、手を差し出す動作などに対応する。  
そして、本具体例においては、次に、所定時間内に検知信号の周波数が上昇し、振幅が減少するか否かを判定する（ステップＳ２８）。これは、使用者が自動装置から遠ざかる動作に対応する。すなわち、図１２（ｂ）及び（ｃ）に表したように、使用者が例えば手を引っ込める場合や、使用者の身体が自動装置から離れる時には、検知信号の周波数の上昇と、振幅の減少が生ずる。そこで、これらを判定することにより、使用者の離遠動作を検知することができる。所定の時間内に、検知信号に周波数の所定の上昇と、振幅の所定の減少と、がみられた時には、使用者が離遠動作をしたと判定して（ステップＳ２８：ｙＥ）、第３動作を実行する（ステップＳ３０）。
【００４０】
例えば、自動水栓の場合、図８及び図９に関して前述したように、第１動作としては、照明の点灯やボウルの予備洗浄などを実行し、第２動作としては、吐水を実行する。そして、第３動作としては、吐水や照明を停止することができる。
【００４１】
また、手指乾燥機の場合には、図８及び図９に関して前述したように、第１動作としては、ヒータの予備加熱や殺菌灯の予備通電を実行し、第２動作としては、温風の吹き出しや殺菌灯の点灯を実行する。そして、第３動作としては、温風の吹き出しや殺菌灯の点灯を停止することができる。
【００４２】
図１４は、使用者の離遠動作も検知可能とした自動装置において実行される処理の第２の具体例を例示するフローチャートである。  
本具体例においても、検知信号を検出し（ステップＳ１０）、その周波数を周波数検出部２２において検出するとともに、その振幅を振幅検出部２８（図１０、図１１参照）において検出する。そして、図５（ｂ）及び（ｃ）などに例示したように、周波数が降下し、振幅が増加する傾向が認められたら（ステップＳ２０：ｙｅｓ）、使用者が接近していると判断して、第１動作を実行する（ステップＳ２２）。次に判定部２４は、所定時間内に、周波数の変化にピークが表れ、同時に振幅が増加するか否かを調べる（ステップＳ２４）。そして、ピークが現れたと判定すると（ステップＳ２４：ｙｅｓ）、使用者がさらに接近していると判断して、第２動作を実行する（ステップＳ２６）。  
以上説明したステップは、例えば、使用者がドアに接近し、ドアを開けて洗面台や小便器などに接近する動作に対応する。
その後、本具体例においては、次に、所定時間内に検知信号の周波数が上昇し（またはピークがあらわれ）、振幅が減少するか否かを判定する（ステップＳ４０）。これは、使用者が自動装置から遠ざかる動作に対応する。すなわち、図１２（ｂ）及び（ｃ）に表したように、使用者が例えば手を引っ込める場合や、使用者の身体が自動装置から離れる時には、検知信号の周波数の上昇と、振幅の減少が生ずる。そこで、これらを判定することにより、使用者の離遠動作を検知することができる。所定の時間内に、検知信号に周波数の所定の上昇と、振幅の所定の減少と、がみられた時には、使用者が離遠動作をしたと判定して（ステップＳ４０：ｙｅｓ）、第３動作を実行する（ステップＳ４２）。
【００４３】
その後、さらに所定時間内に検知信号の周波数が上昇し、振幅が減少するか否かを判定する（ステップＳ４４）。所定の時間内に、検知信号に周波数の所定の上昇と、振幅の所定の減少と、がみられた時には、使用者がさらに離遠動作をしたと判定して（ステップＳ４４：ｙｅｓ）、第４動作を実行する（ステップＳ４６）。
【００４４】
例えば、ドアにより仕切られたトイレ内の小便器を使用する場合、まず、使用者はドアの前に立ち止まり（ステップＳ２０：ｙｅｓ）、ドアを開けてトイレ内に入り小便器の前に接近して減速する（ステップＳ２４：ｙｅｓ）。そして、小便器を使用した後に、小便器から離れてドアの前で減速した後に（ステップＳ４０：ｙｅｓ）、ドアを開けてトイレから外に去る（ステップＳ４４：ｙｅｓ）。この時、小便器に付設された自動装置は、例えば、照明を照らし（ステップＳ２２）、小便器に所定量の洗浄水を流して予備洗浄をし（ステップＳ２６）、小便器に洗浄水を流して洗浄し（ステップＳ４２）、照明を消灯する（ステップＳ４６）。
【００４５】
なお、この場合、小便器への尿流は、使用者の一連の動作よりも高い周波数の検知信号としてマイクロ波センサにより検知することができる。つまり、尿流の開始と終了、及びその量も把握することが可能である。従って、これらの情報に基づいて、例えば、小便器に流す洗浄水の量を調節することも可能である。
【００４６】
一方、例えば、浴室に自動機器を付設した場合には、まず、使用者は浴室のドアの前に立ち止まり（ステップＳ２０：ｙｅｓ）、ドアを開けて浴室内に入り浴槽の前に接近して減速する（ステップＳ２４：ｙｅｓ）。そして、浴槽を使用した後に、浴槽から離れてドアの前で減速した後に（ステップＳ４０：ｙｅｓ）、ドアを開けて浴室から外に去る（ステップＳ４４：ｙｅｓ）。この時、浴室に付設された自動装置は、例えば、照明を照らしたり浴室の空調を動作させ（ステップＳ２２）、浴槽の照明を点灯したりブローバスやミストサウナなどの機能を動作させ（ステップＳ２６）、浴槽の照明を消灯しブローバスやミストサウナなどの機能を停止させ（ステップＳ４２）、浴室の照明を消灯した空調を停止または変更する（ステップＳ４６）。
【００４７】
図１５は、本実施形態の自動装置の具体例を表す模式図である。  
本具体例は、自動水栓であり、流し４２０にはスパウト４１０が付設されている。そして、流し４２０の背後には、センサ部１００が設けられ、また、スパウト４１０からの吐水を制御する電磁開閉弁を有する被制御部３０が設けられている。すなわち、センサ部１００の検知の結果に基づいて、スパウト４１０からの吐水を制御する。さらに、スパウト４１０あるいは流し４２０の一部に照明などが設けられ、センサ部１００の検知の結果に基づいてその点灯を制御してもよい。そして、例えば、図８や図１３に関して前述した一連の動作を実行可能とされている。
【００４８】
図１６は、本実施形態の自動装置のもうひとつの具体例を表す模式図である。  
本具体例は、手指乾燥機であり、本体５００の中には、センサ部１００と、温風吹出部や殺菌灯点灯部などを有する被制御部３０と、が設けられている。つまり、センサ部１００の検知の結果に基づいて、被制御部３０の備えた自動装置の温風吹出部や殺菌灯点灯部などの動作が制御される。本具体例も、例えば、図８や図１３に関して前述した一連の動作を実行可能とされている。
【００４９】
図１７は、本実施形態の自動装置のもうひとつの具体例を表す模式図である。  
本具体例においては、腰掛便器８００の上に、便座８１０と便蓋８２０とを軸支した衛生洗浄装置８３０が設けられている。そして、この衛生洗浄装置８３０に、センサ部１００と被制御部３０とが内蔵されている。なお、便器８００の上部後方にはロータンク８４０が設置されている。通常のトイレのドア８８０は、木製または樹脂であるので、マイクロ波センサから放射される電波ビームＢを透過する。従って、衛生洗浄装置８３０に内蔵したマイクロ波センサにより、トイレのドア８８０越しに使用者９００の存在を検知するとことができる。
【００５０】
図１７（ａ）に表したように、使用者９００がドア８８０に接近すると、使用者９００の身体は減速する。従って、センサの検知信号の周波数に降下がみられる。また、この状態においては、センサから使用者９００までの距離は大きく、ドア８８０を介しているので、検知信号の振幅は小さい。
【００５１】
次に、使用者９００がドア８８０を開けて、図１７（ｂ）に表したように便器８００の前に立ち止まる。この時にも、使用者９００の身体は、加速→減速を経て便器８００の前に停止する。従って、センサの検知信号の周波数にピークや周波数の降下がみられる。また、この状態においては、センサから使用者９００までの距離は小さくなるので、検知信号の振幅は大きくなる。また、ドア８８０を開けた際には、振幅にステップ的な上昇が表れる。
【００５２】
使用者９００は、この後、便座８１０を開き、立位を保った状態で小用する場合がある。または、使用者９００は、身体の向きを反転させ、脱衣後に便座８１０に座る。使用者が身体を反転させる動作は、動作の速度としては早い成分を含むために、マイクロ波センサの検知信号においては、比較的高い周波数を含む信号として表れる。  
図１７（ｃ）は、使用者９００が便座８１０に座った状態を表す。使用者９００が便座８１０に座る動作においても、加速→減速が含まれる。従って、センサの検知信号の周波数にピークや周波数の降下がみられる。また、この状態においては、センサから使用者９００までの距離はさらに小さくなるので、検知信号の振幅はさらに大きくなる。  
一方、これとは逆に、使用者９００が便座８１０から立ち上がる際にも、加速→減速に対応する周波数の変化が検知信号に表れる。同時に、検知信号の振幅も小さくなる。  
そして、使用者９００が便器８００の前からドア８８０に向かい、ドア８８０の前で減速する時も、加速→減速に対応する周波数の変化が検知信号に表れる。同時に、検知信号の振幅も小さくなる。  
さらに、使用者９００がドア８８０を開けてトイレから退出し、ドアを閉めて立ち去る時には、加速→減速に対応する周波数の変化が検知信号に表れる。同時に、検知信号の振幅もさらに小さくなる。特に、ドア８８０を閉めることにより、振幅にステップ的な降下が表れる。
【００５３】
以上説明したように、使用者９００の位置や状態に応じて、センサ部の検知信号にはそれぞれ対応した変化が表れる。従って、これらの変化に対応して、例えば、照明を点灯または消灯したり、便蓋８２０を開閉したり、便器８００に洗浄水を流したり、便座８１０のヒータによる加熱を開始または停止したり、などの各種の動作を実行させることができる。
【００５４】
以上、具体例を参照しつつ本発明の実施の形態について説明した。しかし、本発明は、これら具体例には限定されない。自動装置を構成するアンテナ、送信部、受信部、ミキサ部、フィルタ、周波数検出部、振幅検出部、判定部などの構造、形状、サイズ、配置関係などに関して各種設計変更を行ったものであっても、本発明の主旨を逸脱しない限り本発明の範囲に包含される。
【００５５】
またさらに、本発明の自動装置は、非接触型の入力インタフェースなどにも応用が可能である。例えば、使用者が接近すると、第１動作として、特定のメッセージを表示して入力可能な状態に遷移する。しかる後に、使用者が手を所定の方向に振ると、その方向に応じた情報が入力される。例えば、ドアに接近してきてドアの前に立った人間が、手を下から上に振った場合にセンサがこの動作を検知し、ドアを自動的に開かせることが可能である。
【００５６】
また例えば、自動券売機や各種の入力端末に使用者が接近すると、第１動作とした、「はい」と「いいえ」の二択のメッセージを表示し、これらを選択的に入力可能な状態に遷移する。そして、センサが利用者の首の動きをモニタし、利用者が首を縦に振ったら「はい」、首を横に振ったら「いいえ」のように非接触式に入力し、これに応じて所定の第２動作を実行することが可能となる。
【図面の簡単な説明】
【００５７】
【図１】本発明の実施の形態にかかる自動装置の２つの具体例のブロック図である。
【図２】本発明の実施の形態にかかる自動装置の２つの具体例のブロック図である。
【図３】被検知体の移動速度による検知信号の周波数の変化を模式的に表すグラフ図である。
【図４】移動体の速度と検知信号の周波数の変化との関係を表すグラフ図である。
【図５】検知信号に含まれる周波数の時間変化を説明するための模式図である。
【図６】本発明者が自動水栓について実施した実験の結果を表す模式図である。
【図７】本発明者が自動水栓について実施した実験の結果を表す模式図である。
【図８】図１及び図２に表した自動装置において実行される処理を例示するフローチャートである。
【図９】図１及び図２に表した自動装置において実行される処理のもうひとつの具体例を例示するフローチャートである。
【図１０】本実施形態のもうひとつの具体例にかかる自動装置のブロック図である。
【図１１】本実施形態のもうひとつの具体例にかかる自動装置のブロック図である。
【図１２】自動水栓を使用した使用者が自動水栓から離れるまでの検知信号を例示する模式図である。
【図１３】使用者の離遠動作も検知可能とした自動装置において実行される処理を例示するフローチャートである。
【図１４】使用者の離遠動作も検知可能とした自動装置において実行される処理の第２の具体例を例示するフローチャートである。
【図１５】本実施形態の自動装置の具体例を表す模式図である。
【図１６】本実施形態の自動装置のもうひとつの具体例を表す模式図である。
【図１７】本実施形態の自動装置のもうひとつの具体例を表す模式図である。
【符号の説明】
【００５８】
１０ アンテナ、 １０ａ アンテナ、 １０ｂ アンテナ、 １２ 送信部、 １４ 受信部、 １６ ミキサ部、 ２０ フィルタ、 ２２ 周波数検出部、 ２４ 判定部、 ２８ 振幅検出部、 ３０ 被制御部、１００ センサ部、１００Ａ 検知部、１００Ｂ 処理部、４１０ スパウト、４２０ 流し、５００ 本体、８００ 腰掛便器、８１０ 便座、８２０ 便蓋、８３０ 衛生洗浄装置、８４０ ロータンク、８８０ ドア、９００ 使用者
【図１】
2009063347.tif 000003
【図２】
2009063347.tif 000004
【図４】
2009063347.tif 000005
【図５】
2009063347.tif 000006
【図８】
2009063347.tif 000007
【図９】
2009063347.tif 000008
【図１０】
2009063347.tif 000009
【図１１】
2009063347.tif 000010
【図１２】
2009063347.tif 000011
【図１３】
2009063347.tif 000012
【図１４】
2009063347.tif 000013
【図１５】
2009063347.tif 000014
【図１６】
2009063347.tif 000015
【図１７】
2009063347.tif 000016
【図３】
2009063347.tif 000017
【図６】
2009063347.tif 000018
【図７】
2009063347.tif 000019